(57)【要約】【課題】Ｘ線ＴＶ撮像装置の起立時の撮影台のステップ部から被検者の検査肢を離隔して伸展、脱力させることのできるＸ線ＴＶ撮像装置用支持具および支持具セットを提供する。【解決手段】Ｘ線ＴＶ撮像装置用支持具１００は、被検者の股関節部を支持するための自転車のサドル様の形状を有する支持部２００と、支持部２００をＸ線ＴＶ撮像装置の撮影台のステップから所定の高さに固定するための伸縮機構を備えた支柱部３００と、支柱部３００を前記ステップに着脱自在に係止する係止部４００とから構成される。係止部４００は、支柱部３００を前記ステップに垂直な状態から任意方向に５〜３０°傾斜させることのできる傾斜機構を備えており、斜位や側位の体位を取ることが可能で、かつ容易に体位変更を行うことができる。【選択図】図１
0003140438.tif 000002
【実用新案登録請求の範囲】
【請求項１】
Ｘ線ＴＶ撮像装置の起立時の撮影台のステップ部から被検者の検査肢を離隔して伸展、脱力させるための支持具であって、
被検者の股関節部を支持する支持部と、
前記支持部をＸ線ＴＶ撮像装置の撮影台のステップ部から所定の高さに固定する支柱部と、
を有することを特徴とするＸ線ＴＶ撮像装置用支持具。
【請求項２】
前記支持部は、自転車のサドル様の形状を有することを特徴とする、
請求項１に記載のＸ線ＴＶ撮像装置用支持具。
【請求項３】
前記支持部は、平面形状が略三角形、略四角形、略長方形、略台形、略円形、略楕円形または略ハート形であり、横断面形状が略長方形、略台形、略半円形または略楕円形であることを特徴とする、
請求項２に記載のＸ線ＴＶ撮像装置用支持具。
【請求項４】
前記支持部の主要部の素材は、合成樹脂または繊維強化樹脂であることを特徴とする、
請求項１〜３のいずれか１項に記載のＸ線ＴＶ撮像装置用支持具。
【請求項５】
前記支柱部は、伸縮機構を備えたことを特徴とする、
請求項１〜４のいずれか１項に記載のＸ線ＴＶ撮像装置用支持具。
【請求項６】
前記支柱部は、複数の異径の管状体が伸縮自在に繋合してなることを特徴とする、
請求項５に記載のＸ線ＴＶ撮像装置用支持具。
【請求項７】
前記管状体が繋合する繋合部は、繋合する管状体同士を固定する固定手段を有することを特徴とする、
請求項６に記載のＸ線ＴＶ撮像装置用支持具。
【請求項８】
前記固定手段は、クランプである、
請求項７に記載のＸ線ＴＶ撮像装置用支持具。
【請求項９】
前記支柱部は、被検者の体位変更を介助するためのグリップを備えることを特徴とする、
請求項１〜８のいずれか１項に記載のＸ線ＴＶ撮像装置用支持具。
【請求項１０】
前記支柱部の主要部の素材は、アルミニウム、ステンレス、炭素繊維または炭素繊維強化樹脂であることを特徴とする、
請求項１〜９のいずれか１項に記載のＸ線ＴＶ撮像装置用支持具。
【請求項１１】
前記支柱部を前記ステップ部に着脱自在に係止する係止手段をさらに有することを特徴とする、
請求項１〜１０のいずれか１項に記載のＸ線ＴＶ撮像装置用支持具。
【請求項１２】
前記係止手段は、クランプである、
請求項１１に記載のＸ線ＴＶ撮像装置用支持具。
【請求項１３】
前記係止手段は、前記支柱部を傾斜させる傾斜機構を備えることを特徴とする、
請求項１１または１２に記載のＸ線ＴＶ撮像装置用支持具。
【請求項１４】
前記係止手段の傾斜機構は、前記支柱部を前記ステップ部に垂直な状態から任意方向に５〜３０°傾斜させることを特徴とする、
請求項１３に記載のＸ線ＴＶ撮像装置用支持具。
【請求項１５】
下肢静脈造影に用いられることを特徴とする、
請求項１〜１４のいずれか１項に記載のＸ線ＴＶ撮像装置用支持具。
【請求項１６】
Ｘ線ＴＶ撮像装置の起立時の撮影台のステップ部から被検者の検査肢を離隔して伸展、脱力させるための支持具セットであって、
請求項１〜１５のいずれか１項に記載のＸ線ＴＶ撮像装置用支持具と、
被検者の上体を懸吊して支持するための胸部装具と、
を有することを特徴とする、Ｘ線ＴＶ撮像装置用支持具セット。
【請求項１７】
前記胸部装具は、
被検者の胸部に当接して胸部を支持する胸部支持部と、
前記胸部支持部を懸吊する懸吊手段と、
前記懸吊手段をＸ線ＴＶ撮像装置の撮影台に着脱自在に固定する固定手段と、
を有することを特徴とする、請求項１６に記載のＸ線ＴＶ撮像装置用支持具セット。
【請求項１８】
被検者の非検査肢を支持する踏台をさらに有することを特徴とする、
請求項１６または１７に記載のＸ線ＴＶ撮像装置用支持具セット。
【請求項１９】
前記踏台は、昇降機構を備えることを特徴とする、
請求項１８に記載のＸ線ＴＶ撮像装置用支持具セット。
【請求項２０】
下肢静脈造影に用いられることを特徴とする、
請求項１６〜１９のいずれか１項に記載のＸ線ＴＶ撮像装置用支持具セット。
【考案の詳細な説明】
【技術分野】
【０００１】
本考案は、Ｘ線ＴＶ撮像装置の起立時の撮影台のステップ部から被検者の検査肢を離隔して伸展、脱力させるための支持具および支持具セットに関する。
【背景技術】
【０００２】
人工関節置換術後の代表的な合併症に、肺血栓塞栓症がある。肺血栓塞栓症は、股関節や膝関節の手術で、大腿静脈の血流停滞や血管損傷により下肢の深部静脈にできた血栓が剥がれて、静脈内を流れ肺動脈に達して血管を閉塞する疾患であり、急性循環動態不全、ガス交換不全による呼吸困難等の症状を呈し、抹消肺動脈が完全に閉塞すると肺組織の壊死を起こして肺梗塞に至る。血栓は術後の床上安静時期にも生じる危険性があり、術後３週間以内に起こることが多く、排尿・排便時、体位変更時、車椅子使用や歩行訓練の開始時等に血栓が剥がれて肺動脈に詰まり肺梗塞・塞栓症を発症する。人工関節置換術後、下肢静脈血栓が疑われる患者に対しては下肢静脈造影を行い、下肢静脈血栓が発見されれば、ワルファリン等の抗凝固剤やウロキナーゼ等の血栓溶解剤を用いた治療を行う。
【０００３】
ところで、下肢静脈造影は、被検者を半立位（４５〜６０°）にし、Ｘ線ＴＶ透視下、造影剤を注入して行われるが、検査肢に力が加わると血流が変化してしまい鮮明な画像が得られないことから、被検者を非検査肢で片足立脚させ検査肢を伸展、脱力させた状態で撮像する必要がある。さらに、前方向だけでなく、斜めや側面方向の画像を得るため、被検者に半立位の片足立脚状態で適宜体位を変更させ、斜位や側位の体位を取らせる必要がある。しかし、上記下肢静脈撮像には両肢で最低１０分程を要するところ、人工関節置換術の術後３週間以内の被術者に、かかる長時間半立位の体勢を採らせることはもちろん、例え短時間であっても、非被術側の足の撮像時に被術側の足で片足立脚させたり、さらには片足立脚の状態で体位変更をさせたりすることは極めて困難であった。
【０００４】
一方、従来、Ｘ線撮像装置等の撮影台上に設置し被検者を座位に保持するための台状の体位保持具（特許文献１参照）や、Ｘ線ＣＴ撮影装置においてターンテーブル上に設置し被検者の臀部を支持する椅子ユニット等からなる支持具（特許文献２参照）、Ｘ線撮像装置等撮影台に被検者の肢体を固定するための着衣状の支持具（特許文献３参照）等が知られている。
【特許文献１】特開２００５−１７６９５５
【特許文献２】特開２００５−１７６９５５
【特許文献３】特開２００５−１７６９５５
【考案の開示】
【考案が解決しようとする課題】
【０００５】
しかし、特許文献１に記載の体位保持具をＸ線ＴＶ撮像装置による下肢静脈造影に用いた場合、被検者の検査肢を伸展させることができず、また、斜位や側位の体位が取れないという問題があった。さらに、保持具が下肢静脈の画像に重なって写り込むという問題や、下肢が通常の撮像面から離れるため拡大により視野が狭くなったり、焦点が合わせ難いという問題があった。
【０００６】
また、特許文献２に記載の支持具は、Ｘ線ＣＴ撮影装置のターンテーブル用のものでＸ線ＴＶ撮像装置には適用できないこと、下肢を伸展させることができないこと等の問題があった。
【０００７】
さらに、特許文献３に記載の支持具は、片足立脚を補助するためのものではなく、下肢を吊り上げて検査肢を伸展させることができず、また、下肢の斜位や側位の体位が取り難いという問題があった。
【０００８】
本考案は、かかる従来技術の問題点に鑑みてなされたものであり、その目的とするところは、Ｘ線ＴＶ撮像装置の起立時の撮影台のステップ部から被検者の検査肢を離隔して伸展、脱力させることのできるＸ線ＴＶ撮像装置用支持具および支持具セットを提供することにある。
【０００９】
本考案の他の目的は、斜位や側位の体位を取ることが可能で、かつ容易に体位変更を行うことのできるＸ線ＴＶ撮像装置用支持具および支持具セットを提供することにある。
【００１０】
本考案の他の目的は、下肢静脈造影画像への写り込みが少なく鮮明な下肢静脈造影画像を得ることができるＸ線ＴＶ撮像装置用支持具および支持具セットを提供することにある。
【００１１】
本考案の他の目的は、Ｘ線ＴＶ撮像装置の撮影台のステップ部への設営および調整の容易なＸ線ＴＶ撮像装置用支持具および支持具セットを提供することにある。
【課題を解決するための手段】
【００１２】
本考案の上記目的は、下記構成にかかる本考案のＸ線ＴＶ撮像装置用支持具および支持具セットにより達成される。
【００１３】
（１）すなわち、本発明は、Ｘ線ＴＶ撮像装置の起立時の撮影台のステップ部から被検者の検査肢を離隔して伸展、脱力させるための支持具であって、被検者の股関節部を支持する支持部と、前記支持部をＸ線ＴＶ撮像装置の撮影台のステップ部から所定の高さに固定する支柱部と、を有することを特徴とするＸ線ＴＶ撮像装置用支持具である。
【００１４】
（２）本発明はまた、前記支持部は、自転車のサドル様の形状を有することを特徴とする、（１）に記載のＸ線ＴＶ撮像装置用支持具である。
【００１５】
（３）本発明はまた、前記支持部は、平面形状が略三角形、略四角形、略長方形、略台形、略円形、略楕円形または略ハート形であり、横断面形状が略長方形、略台形、略半円形または略楕円形であることを特徴とする、（２）に記載のＸ線ＴＶ撮像装置用支持具である。
【００１６】
（４）本発明はまた、前記支持部の主要部の素材は、合成樹脂または繊維強化樹脂であることを特徴とする、（１）〜（３）のいずれか１項に記載のＸ線ＴＶ撮像装置用支持具である。
【００１７】
（５）本発明はまた、前記支柱部は、伸縮機構を備えたことを特徴とする、（１）〜（４）のいずれか１項に記載のＸ線ＴＶ撮像装置用支持具である。
【００１８】
（６）本発明はまた、前記支柱部は、複数の異径の管状体が伸縮自在に繋合してなることを特徴とする、（５）に記載のＸ線ＴＶ撮像装置用支持具である。
【００１９】
（７）本発明はまた、前記管状体が繋合する繋合部は、繋合する管状体同士を固定する固定手段を有することを特徴とする、（６）に記載のＸ線ＴＶ撮像装置用支持具である。
【００２０】
（８）本発明はまた、前記固定手段は、クランプである、（７）に記載のＸ線ＴＶ撮像装置用支持具である。
【００２１】
（９）本発明はまた、前記支柱部は、被検者の体位変更を介助するためのグリップを備えることを特徴とする、（１）〜（８）のいずれか１項に記載のＸ線ＴＶ撮像装置用支持具である。
【００２２】
（１０）本発明はまた、前記支柱部の主要部の素材は、アルミニウム、ステンレス、炭素繊維または炭素繊維強化樹脂であることを特徴とする、（１）〜（９）のいずれか１項に記載のＸ線ＴＶ撮像装置用支持具である。
【００２３】
（１１）本発明はまた、前記支柱部を前記ステップ部に着脱自在に係止する係止手段をさらに有することを特徴とする、（１）〜（１０）のいずれか１項に記載のＸ線ＴＶ撮像装置用支持具である。
【００２４】
（１２）本発明はまた、前記係止手段は、クランプである、（１１）に記載のＸ線ＴＶ撮像装置用支持具である。
【００２５】
（１３）本発明はまた、前記係止手段は、前記支柱部を傾斜させる傾斜機構を備えることを特徴とする、（１１）または（１２）に記載のＸ線ＴＶ撮像装置用支持具である。
【００２６】
（１４）本発明はまた、前記係止手段の傾斜機構は、前記支柱部を前記ステップ部に垂直な状態から任意方向に５〜３０°傾斜させることを特徴とする、（１３）に記載のＸ線ＴＶ撮像装置用支持具である。
【００２７】
（１５）本発明はまた、下肢静脈造影に用いられることを特徴とする、（１）〜（１４）のいずれか１項に記載のＸ線ＴＶ撮像装置用支持具である。
【００２８】
（１６）本発明はまた、Ｘ線ＴＶ撮像装置の起立時の撮影台のステップ部から被検者の検査肢を離隔して伸展、脱力させるための支持具セットであって、（１）〜（１５）のいずれか１項に記載のＸ線ＴＶ撮像装置用支持具と、被検者の上体を懸吊して支持するための胸部装具と、を有することを特徴とする、Ｘ線ＴＶ撮像装置用支持具セットである。
【００２９】
（１７）本発明はまた、前記胸部装具は、被検者の胸部に当接して胸部を支持する胸部支持部と、前記胸部支持部を懸吊する懸吊手段と、前記懸吊手段をＸ線ＴＶ撮像装置の撮影台に着脱自在に固定する固定手段と、を有することを特徴とする、（１６）に記載のＸ線ＴＶ撮像装置用支持具セットである。
【００３０】
（１８）本発明はまた、被検者の非検査肢を支持する踏台をさらに有することを特徴とする、（１６）または（１７）に記載のＸ線ＴＶ撮像装置用支持具セットである。
【００３１】
（１９）本発明はまた、前記踏台は、昇降機構を備えることを特徴とする、（１８）に記載のＸ線ＴＶ撮像装置用支持具セットである。
【００３２】
（２０）本発明はまた、下肢静脈造影に用いられることを特徴とする、（１６）〜（１９）のいずれか１項に記載のＸ線ＴＶ撮像装置用支持具セットである。
【考案の効果】
【００３３】
本考案のＸ線ＴＶ撮像装置用支持具によれば、Ｘ線ＴＶ撮像装置の撮影台を起立させた際に、被検者の検査肢を撮影台のステップ部から離隔することができるので、人工関節置換術後の患者等の片足立脚の困難な被検者であっても、検査肢を伸展、脱力させることができ、血流の変化を生じないので、鮮明な下肢静脈造影画像を得ることができる。
【００３４】
また、本考案のＸ線ＴＶ撮像装置用支持具によれば、下肢静脈造影画像に重なって写り込むことがなく、所定の素材を用いることにより写り込み自体も少なくすることができるので、鮮明な下肢静脈造影画像を得ることができる。
【００３５】
また、本考案のＸ線ＴＶ撮像装置用支持具によれば、支柱部が伸縮機構を備えているので、被検者の下肢長に合わせて支持部の高さを変更することができ、被検者の下肢位置を容易に調整することができる。
【００３６】
また、本考案のＸ線ＴＶ撮像装置用支持具によれば、支柱部にグリップを備えているので、撮像者またはその補助者等が被検者の体位変更を容易に介助することができる。
【００３７】
また、本考案のＸ線ＴＶ撮像装置用支持具によれば、係止手段により支持具をＸ線ＴＶ撮像装置の撮影台のステップ部に着脱自在に係止することができるので、汎用のＸ線ＴＶ撮像装置の撮影台であっても、改造等を施すことなく本考案のＸ線ＴＶ撮像装置用支持具を簡単に取り付けることができる。また、撮像時のみ設営して不要時には取り外しておくことができるので、Ｘ線ＴＶ撮像装置を有効に活用することができる。
【００３８】
また、本考案のＸ線ＴＶ撮像装置用支持具によれば、係止部が支柱部を傾斜させる傾斜機構を備えているので、被検者の体位変更を極めて容易に行うことができる。
【００３９】
また、本考案のＸ線ＴＶ撮像装置用支持具セットによれば、胸部装具により被検者の上体を懸吊して支持することができるので、被検者の上体が傾いて肢体がＸ線ＴＶ撮像装置用支持具から脱落するのを防止することができる。
【００４０】
また、本考案のＸ線ＴＶ撮像装置用支持具セットによれば、胸部装具の固定手段により胸部装具をＸ線ＴＶ撮像装置の撮影台に着脱自在に固定することができるので、胸部装具を撮像時のみ取り付けることができ、不要時には取り外せるので邪魔になることがない。
【００４１】
また、本考案のＸ線ＴＶ撮像装置用支持具セットによれば、踏台により被検者の非検査肢を支持することができるので、被検者の検査肢がステップに接触せずに伸展、脱力した状態を維持しつつ被検者が自ら非検査肢で肢体を支持できるようにすることができる。
【００４２】
また、本考案のＸ線ＴＶ撮像装置用支持具セットによれば、踏台が昇降機構を有するので、被検者の非検査肢の足先の位置に合わせて踏台の高さを容易に調節することができる。
【考案を実施するための最良の形態】
【００４３】
以下、本考案の実施の形態を、添付図面を参照して説明する。
【００４４】
図１（ａ）は、本考案の実施形態にかかるＸ線ＴＶ撮像装置用支持具１００の全体構成を示す概略正面図であり、図１（ｂ）はその概略右側面図である。図１（ａ）および（ｂ）に示すとおり、Ｘ線ＴＶ撮像装置用支持具１００は、被検者の股関節部を支持する支持部２００と、支持部２００をＸ線ＴＶ撮像装置の撮影台のステップ（図示せず）から所定の高さに固定する支柱部３００と、支柱部３００を前記ステップに着脱自在に係止する係止部４００とから構成される。
【００４５】
図２（ａ）は、支持部２００の構成を示す概略平面図、図２（ｂ）はその概略側面図であり、図２（ｃ）は図２（ａ）におけるＡ−Ａ'線断面図である。図２（ａ）〜（ｃ）に示すとおり、支持部２００は、被検者の股関節部にあてがって被検者の半立位の体勢を支持するために、自転車のサドル様の形状を有している。すなわち、図２（ａ）において、支持部２００の平面形状は、後方部が、被検者の股関節部を安定に支持するために、被検者の坐骨幅（左右坐骨中心幅）に対して十分に幅広に、好ましくは坐骨幅の２倍以上の幅に形成されている。一方、中央部から前方部にかけては、被検者の大腿部を圧迫しないように急激に幅狭になっており、先端部は、少なくとも被検者が支持部２００から滑り落ちるのを防止するのに十分な長さをもって細長に形成されている。
【００４６】
支持部２００は、図２（ａ）〜（ｃ）に示すとおり、座２１０、座を支持する左右のレール２２０、レール２２０を支柱部３００に固定するためのやぐら２３０等で構成されている。また、座２１０は、トップ（上皮）２１１とベース（基盤）２１２とからなる。やぐら２３０はＵ字形の自在金具であり、支柱部３００の上部と支持部２００のレール２２０を挟んで菊座ボルトおよびナットで締付けて両者を固定しており、ボルトを緩めると座２１０の前後位置および前後の傾き角度が調節できるようになっている。
【００４７】
支持部２００を構成する素材は、被検者の股関節部を支持するために必要な強度を有していれば特に限定されるものではないが、Ｘ線画像への移り込みを極力少なくするため、レール２２０、やぐら２３０等の連結部材を除いては金属以外の素材を用いることが好ましい。具体的には、座２１０のトップ２１１には、表面の滑りがよくかつ消毒用アルコール等の耐薬品性に優れた素材、例えばナイロン、ポリエステル等の合成樹脂シート、天然皮革、合成皮革等が用いられ、特にナイロン等の合成樹脂が好適に用いられる。また、ベース２１２には、軽量でかつ十分な強度を有する素材、例えばポリエチレン、ポリプロピレン、ポリエステル等の合成樹脂や、ガラス繊維強化樹脂（ＧＦＲＰ）、炭素繊維強化樹脂（ＣＦＲＰ）、ボロン繊維強化樹脂（ＢＦＲＰ）、アラミド繊維強化樹脂（ＡＦＲＰ）、ケブラー繊維強化樹脂（ＫＦＲＰ）等の繊維強化樹脂等が好適に用いられる。また、レールには、クロモリ鋼、ばね鋼、チタン合金、マグネシウム合金、炭素繊維強化樹脂（ＣＦＲＰ）等が好適に利用される。
【００４８】
なお、本考案のＸ線ＴＶ撮像装置用支持具における支持部の構造はこれに限定されるものではなく、利用形態に合わせて種々の応用が可能である。例えば、支持部の形状として、図３（ａ）〜（ｅ）に示すように、横断面形状が略長方形または略台形であって、平面形状が略三角形のもの（２００ａ）、略四角形のもの（２００ｂ）、略長方形のもの（２００ｃ）、略台形のもの（２００ｄ）または略円形のもの（２００ｅ）や、図３（ｆ）または（ｇ）に示すように、横断面形状が略半円形または略楕円形であり、平面形状が略楕円形のもの（２００ｆ）または略ハート形のもの（２００ｇ）等を被検者の症状や体格、検査の目的等に合わせて適宜採用することができる。また、被検者の会陰を圧迫しないようにするために、支持部の後方部の中央に窪み、溝、穴、切り欠き等を設けた構造としたり、座とベースの間にクッション材を備えた構造としたりしても構わない。クッション材の具体例としては、ウレタン樹脂等からなるジェルや、天然ゴム、ポリブタジエン系、ブタジエン・アクリロニトリル系、クロロプレン系等の合成ゴム、ウレタン樹脂等の熱可塑性エラストマー等の弾性体、ウレタンフォーム、ポリエチレンフォーム、メラミンフォーム等の発泡体等が挙げられる。
【００４９】
一方、図１（ａ）および（ｂ）に示すように、支柱部３００は、断面が略円形（丸管）の直管状の上部支柱部３１０と、同様の形状で上部支柱部３１０の外径よりやや大きい内径を有する下部支柱部３２０とが繋合部３３０で繋合連結されて構成されており、上部支柱部３１０の上端はやぐら２３０を介して支持部２００に固定されている。
【００５０】
図４（ａ）は、支柱部３００の繋合部３３０の構成を示す概略部分右側面図であり、図４（ｂ）はそのＢ−Ｂ'線断面図である。支柱部３００の繋合部３３０は、図４（ａ）および（ｂ）に示すとおり、下部支柱部３２０の上端に直線状の切欠部３２１が設けられているとともに、外周にクランプ３４０が取り付けられて構成されている。これにより、クランプ３４０のレバー３４１を締め付けて下部支柱部３２０の上端とその内部に挿通された上部支柱部３１０とを固定することができるとともに、レバー３４１を緩めて上部支柱部３１０を昇降させることにより支柱部３００の長さを伸縮自在に調整することができ、被検者の下肢長に合わせて支持部２００の高さを極めて容易に調節することができる。
【００５１】
また、図１（ａ）および（ｂ）に示すように、支柱部３００の上部支柱部３１０の正面には、コの字状丸管のグリップ３５０が設けられており、Ｘ線撮像者またはその補助者等は、グリップ３５０を把持してＸ線ＴＶ撮像装置用支持具１００を支柱部３００の軸回りに回転させることにより、被検者の体位変換を容易に介助することができる。但し、支給部３００は、必ずしもグリップ３５０を備えていなくてもよい。
【００５２】
支柱部３００を構成する素材としては、支持部２００を介して被検者の体重を支持するのに必要な強度を実現でき、かつＸ線透過性に優れＸ線画像への移り込みの極力少ないものが好ましく、具体的には、アルミニウム、ステンレス、ＰＡＮ系またはＰＩＴＣＨ系の炭素繊維、炭素繊維強化樹脂（ＣＦＲＰ）等が好適に用いられる。
【００５３】
なお、本考案のＸ線ＴＶ撮像装置用支持具における支柱部の形状は上記実施形態に限定されるものでなく、例えば断面形状は略三角形、略正方形、略長方形、略楕円形、略凹形、略凸形等であってもよいし、縦形状はＳ字管等のような曲管であってもよい。また、上部支柱部と下部支柱部とは、上部支柱部の内径が下部支柱部の外径よりも大きく形成されていてもよい。
【００５４】
また、支柱部の伸縮機構も上記実施形態に限定されるものではなく、例えば、レバーの代わりにネジまたはボルトで固定する方式のクランプを用いる方法、上部支柱部と外周と下部支柱部内周にねじ山とねじ溝を設け両者を螺合させる方法、下部支柱部の管壁を貫通せしめたネジ等で上部支柱部管壁を係止して固定する方法、上部支柱部の管壁に所定間隔で設けられた穿孔と下部支柱部の管壁をネジ等で貫通せしめて固定する方法、上部支柱部と下部支柱部をガスダンパーまたはオイルダンパーを介して繋合する方法等、周知の伸縮機構を用いることができる。なお、支柱部は３つ以上の支柱が繋合して構成されていてもよいし、逆に、Ｘ線画像への移り込みを極力少なくするため、繋合部をなくして支柱部の伸縮機構を省略しても構わない。
【００５５】
図５は、係止部４００の構成を示す概略横断面図である。図５に示すとおり、係止部４００は、横断面がコの字状に形成された台座４１０と、台座４１０の底部に穿設されたネジ穴に螺挿されたノブ４２０と、ノブ４２０のネジ先端部に連結された固定板４３０とで構成されるクランプ機構を有しており、ノブ４２０を回して固定版７５０を上昇させることにより台座４１０の上面と固定版７５０とでＸ線ＴＶ撮像装置の撮影台７００のステップ７１０を挟持して係止部４００をステップ７１０に着脱自在に固定することができる。
【００５６】
また、係止部４００の台座４１０の上面には、支柱部３００の下部支柱部３２０の外径よりやや大きな内径を有する円筒状の軸受部４４０が突設されている。これにより、支柱部３００を軸受部４４０を中心として回転させることができるとともに、軸受部４４０の内壁と軸受部４４０に嵌挿された支柱部３００の外壁の間に生じた間隙により、支柱部３００をステップ７１０に垂直な状態から任意方向に僅かに（５〜３０度）傾斜させることができ、被検者の体位を容易に変換することができる。
【００５７】
係止部４００の素材としては、ステンレス鋼、アルミニウム合金、マグネシウム合金、チタン合金等の金属等が好適に用いられる。
【００５８】
なお、本考案のＸ線ＴＶ撮像装置用支持具における係止部の構造は上記実施形態に限定されるものではなく、利用形態に合わせて種々の応用が可能である。例えば、台座のクランプ機構は、ステップを固定板とノブで固定する代わりに板バネを用いて固定するものであってもよいし、台座上面と底面をワニ口クリップ様に形成してステップを挟持する構成としてもよい。また、クランプ機構に代えて他の係止手段、例えば図６（ａ）に示すように、板状の台座４１０ａの底面に、天然ゴム、合成ゴム等のエラストマーやウレタンフォーム等の発泡体等からなる滑り止めシート４５０を設け、ステップ７１０上に係止するもの（４００ａ）であってもよい。また、台座の軸受部を台座上面に突設する代わりに、図６（ｂ）に示すように、肉厚に形成された台座４１０ｂの上面に下部支柱部３２０の外径よりやや大きな径を有する穿孔を設けて軸受部４４０ａとしたもの（４００ｂ）であってもよい。また、支柱部の傾斜機構は、軸受部に代えてボールジョイントやヒンジ等の継手機構によって実現するものであってもよい。さらに、撮影台のステップに直接軸受部等を設けることにより、Ｘ線ＴＶ撮像装置用支持具が係止部を有さない構成としても構わない。
【００５９】
つぎに、本実施形態にかかるＸ線ＴＶ撮像装置用支持具１００の使用方法について、人工関節置換術後１〜３週間の患者へのＸ線ＴＶ撮像装置による下肢静脈造影を例にして説明する。図７（ａ）は、Ｘ線ＴＶ撮像装置用支持具１００を用いたＸ線ＴＶ撮像装置による下肢静脈造影の様子を示した概略正面図であり、図７（ｂ）はその概略側面図である（Ｘ線ＴＶ撮像装置の撮影台７００が６０°に起立した状態を示している）。まず、Ｘ線ＴＶ撮像装置の撮影台７００を水平状態にし、被検者を撮影台７００に乗せて仰臥位にして、被検者の両脇に手摺７２０を装着する。つぎに、Ｘ線ＴＶ撮像装置用支持具１００の支持部２００を被検者の股関節部にあてがってＸ線ＴＶ撮像装置用支持具１００を被検者の下肢間に載置する。係止部４００のノブ４２０を締めて係止部を撮影台７００のステップ７１０に固定し、さらに、被検者の足先とステップ７１０との間隙が３０〜４０ｃｍとなるように支柱部３００のクランプ３４０を緩めて支柱部３００の長さを調節する。
【００６０】
また、Ｘ線ＴＶ撮像装置の撮影台７００を起立させた際に、被検者の上体が傾いて肢体がＸ線ＴＶ撮像装置用支持具１００から脱落することを防止するため、被検者の上体を懸吊して支持するための胸部装具５００ａを、被検者の胸部から両脇下に通して左右の手摺７２０の上部で両端を固定し、被検者の体位変更が制限されない程度の適度なゆるみをもたせて胸部装具５００ａを緊締する。
【００６１】
図８は、胸部装具５００ａの構成を示す概略平面図である。図８に示すように、胸部装具５００ａは、帯状の胸部パッド５１０と、胸部パッド５１０の内部を挿通せしめたベルト５２１と、ベルト５２１の両端部に設けられたオス型のバックル５３１と、バックル５３１と嵌合するメス型のバックル５３２と、バックル５３２に結合されたベルト５２２とから構成される。胸部装具５００ａは、ベルト５２２により左右の手摺７２０に固定されるとともに、バックル５３１および５３２によりワンタッチで着脱が可能となっており、被検者の身体への装着時や不要時等に胸部装具５００ａを撮影台７００に容易に取り外すことができる。また、バックル５３１および５３２は、それぞれベルト５２１および５２２の長さ調整が可能となっており、被検者の体格等に合わせて胸部装具５００ａの締め付け具合を容易に調整することができる。胸部パッド５１０は、例えば、ポリエステル、ナイロン、綿等の織布またはシートからなる表層と、ウレタンフォーム等のクッション材とから構成される。ベルト５２１および５２２は、革、合成樹脂等からなり、バックル５３１および５３２は金属、合成樹脂等から構成される。
【００６２】
なお、本考案の胸部装具の構造および素材は上記実施形態に限定されるものではなく、種々変更を加え得ることは勿論である。図９は、本発明の他の実施形態にかかる胸部装具５００ｂの構成を示す概略平面図である。図９に示すように、胸部装具５００ｂのベルト５２３の両端部は、ベルト穴５２４が穿設された端部とバックル５３３が固設された端部とを有し、一方を手摺７２０に通してベルト穴５２４とバックル５３３を連結することにより、胸部装具５００ｂの両端部を左右の手摺７２０に容易に固定することができる。なお、胸部装具の両端部の固定機構は、ベルト穴によらずにベルトを挟掴して固定するバックルによりものでもよいし、ホックやベルクロファスナを利用するものであってもよい。また、ベルトに代えて紐状体、鎖状体等を用いてもよいし、胸部パッドは円筒状、楕円体状等であってもよい。
【００６３】
さらに、図７において、被検者の検査肢がステップ７１０に接触せずに伸展、脱力した状態を維持しつつ被検者が自ら非検査肢で肢体を支持することができるようにするため、被検者の非検査肢の足先とステップ７１０との間に踏台６００を挿入して、非検査肢が踏台６００に着くように踏台６００の高さを調整する。
【００６４】
図９（ａ）は、踏台６００の構成を示す概略正面図であり、図９（ｂ）はその概略側面図である。図９（ａ）および（ｂ）に示すとおり、踏台６００は、上下天板６１０と、上下天板６１０間を連結するパンタグラフ６２０と、パンタグラフ６２０の中間ヒンジ部の一方の支軸６２１に軸着され、他方の支軸６２２に螺結されたノブ６３０とからなる。すなわち、踏台６００はパンタグラフ式のジャッキ構造を有しており、ノブ６３０を回転させて２つの支軸６２１および６２２間の距離を拡縮することによりパンタグラフ６２０を伸縮させて天板６１０を昇降させることができ、被検者の下肢長に合わせて踏台６００の高さを調節することができる。踏台６００はステンレス等の金属からなる。
【００６５】
なお、本考案の踏台の構造等はこれに限定されるものではなく、例えば、踏台の昇降機構は、ノブ（ネジ）式のジャッキ構造に代えて油圧等の流体作動式のジャッキ構造であってもよいし、踏台に昇降機構を備える代わりに高さの異なる踏台を複数用意して差し替えるようにしてもよい。また、本考案のＸ線ＴＶ撮像装置用支持具においては、必ずしも踏台を利用する必要はなく、被検者の非検査肢も検査肢と同様にステップから離れて伸展した状態で下肢造影を行うものであっても構わない。
【００６６】
つぎに、被検者の足背の静脈を血管確保し、膝関節の上と下それぞれ約１０ｃｍと足首の上部約１０ｃｍの３箇所に駆血帯を巻く。そして、支持部２００で被検者の肢体がしっかり支えられているか注意を払いながら、撮影台７００を６０°まで起立させる（危険な場合は４５°程度でも可）。このとき、下腿部に力が入ると筋ポンプにより造影剤が早く流れてしまい造影不足の画像となるおそれがあるので、検査肢は虚脱させ宙に浮かせる。そして、造影剤を注入し、血管内に満たされていることをモニターで確認しながら撮影を開始する。なお、撮影中の体位変更や検査肢変換の際には、支柱部３００のグリップ３５０等を利用して被検者の体位変更等を介助する。
【００６７】
撮影の手順はおおよそ次の通りである。まず、外旋位、正面で下腿（腓骨静脈）を、正面、外旋位、側面で膝窩部（膝窩静脈）を、正面で大腿静脈を、および正面で総腸骨静脈から外腸骨静脈を、それぞれ撮影する。つぎに、駆血帯を外して遠位に戻りながら、正面で大腿静脈を、内旋位で膝窩静脈を、および内旋位で腓骨静脈を、それぞれ撮影する。最後に、総腸骨静脈から外腸骨静脈に位置をあわせ、テーブルを水平に戻しながら下肢を挙上するなどして造影剤濃度が高まったところで正面像を撮影する。必要に応じて、適宜追加撮影をおこなう。
【産業上の利用可能性】
【００６８】
本考案のＸ線ＴＶ撮像装置用支持具および支持具セットによれば、Ｘ線ＴＶ撮像装置の起立時の撮影台のステップ部から被検者の検査肢を離隔して伸展、脱力させることができ、また、斜位や側位の体位を取ることが可能で、かつ容易に体位変更を行うことができる。さらに、下肢静脈造影画像への写り込みが少なく鮮明な下肢静脈造影画像を得ることができ、Ｘ線ＴＶ撮像装置の撮影台のステップ部への設営および調整も容易である。
【００６９】
従って、本考案のＸ線ＴＶ撮像装置用支持具および支持具セットは、人工関節置換術後の患者等の片足立脚の困難な被検者に対するＸ線ＴＶ撮像装置による下肢静脈造影に利用した場合に極めて有用である。
【図面の簡単な説明】
【００７０】
【図１】（ａ）は本考案の実施形態にかかるＸ線ＴＶ撮像装置用支持具１００の全体構成を示す概略正面図であり、（ｂ）はその概略右側面図である。
【図２】（ａ）は支持部２００の構成を示す概略平面図、（ｂ）はその概略側面図であり、（ｃ）は（ａ）におけるＡ−Ａ'線断面図である。
【図３】支持部２００の変形例を示す概略斜視図である。
【図４】（ａ）は支柱部３００の繋合部３３０の構成を示す概略部分右側面図であり、（ｂ）はそのＢ−Ｂ'線断面図である。
【図５】係止部４００の構成を示す概略横断面図である。
【図６】係止部４００の変形例を示す概略横断面図である。
【図７】（ａ）はＸ線ＴＶ撮像装置用支持具１００を用いたＸ線ＴＶ撮像装置による下肢静脈造影の様子を示した概略正面図であり、（ｂ）はその概略側面図である（Ｘ線ＴＶ撮像装置の撮影台７００が６０°に起立した状態を示している）。
【図８】胸部装具５００ａの構成を示す概略平面図である。
【図９】他の実施形態にかかる胸部装具５００ｂの構成を示す概略平面図である。
【図１０】（ａ）は踏台６００の構成を示す概略正面図であり、（ｂ）はその概略側面図である。
【符号の説明】
【００７１】
１００  Ｘ線ＴＶ撮像装置用支持具
２００，２００ａ〜２００ｆ  支持部
２１０  座
２１１  トップ
２１２  ベース
２２０  レール
２３０  やぐら
３００  支柱部
３１０  上部支柱部
３２０  下部支柱部
３２１  切欠部
３３０  繋合部
３４０  クランプ
３４１  レバー
３５０  グリップ
４００  係止部
４１０  台座
４２０  ノブ
４３０  固定板
４４０  軸受部
４５０  滑り止めシート
５００ａ，５００ｂ  胸部装具
５１０  胸部パッド
５２１，５２２，５２３  ベルト
５２４  ベルト穴
５３１，５３２，５３３  バックル
６００  踏台
７００  撮影台
７１０  ステップ
７２０  手摺
【図１】
0003140438.tif 000003
【図２】
0003140438.tif 000004
【図３】
0003140438.tif 000005
【図４】
0003140438.tif 000006
【図５】
0003140438.tif 000007
【図６】
0003140438.tif 000008
【図７】
0003140438.tif 000009
【図８】
0003140438.tif 000010
【図９】
0003140438.tif 000011
【図１０】
0003140438.tif 000012